【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
外部装置から送信されるプッシュメッセージを他の通信装置との間で通信する通信装置であって、
前記通信装置と前記他の通信装置との間でのプッシュメッセージの通信が可能な処理期間を示す時間情報を、前記他の通信装置と共有する共有手段と、
前記共有手段により共有された前記時間情報が示す処理期間中に、当該処理期間より前に前記外部装置から送信されたプッシュメッセージを前記他の通信装置との間で通信する通信手段とを有することを特徴とする通信装置。
【請求項２】
前記外部装置から前記他の通信装置へ送信されるプッシュメッセージの前記通信装置への転送を、前記他の通信装置に要求する要求手段を有し、
前記通信手段は、前記共有手段により共有された前記時間情報が示す処理期間中に、前記要求手段による要求に応じて前記他の通信装置から転送されたプッシュメッセージを受信することを特徴とする請求項１に記載の通信装置。
【請求項３】
前記要求手段による要求に応じて前記他の通信装置から送信されるメッセージであって、前記他の通信装置から前記通信装置へのプッシュメッセージの転送の可否を示すメッセージを受信する受信手段を有し、
前記通信手段は、前記プッシュメッセージの転送が可能であることを示すメッセージが前記受信手段により受信された場合に、前記他の通信装置との間でプッシュメッセージを通信することを特徴とする請求項２に記載の通信装置。
【請求項４】
前記通信手段は、前記プッシュメッセージの転送が不可能であることを示すメッセージが前記受信手段により受信された場合に、前記他の通信装置を介さずに前記外部装置からプッシュメッセージを受信することを特徴とする請求項３に記載の通信装置。
【請求項５】
前記要求手段はさらに、前記通信装置から前記他の通信装置へ送信されるプッシュメッセージの前記外部装置への転送を前記他の通信装置に要求し、
前記通信手段は、前記共有手段により共有された前記時間情報が示す処理期間中に、前記他の通信装置へプッシュメッセージを送信することを特徴とする請求項２乃至４の何れか１項に記載の通信装置。
【請求項６】
前記共有手段により共有された前記時間情報が示す処理期間外に所定の通知を受信したことに応じて、前記通信装置が前記他の通信装置との間でプッシュメッセージを通信可能な状態となるように前記通信装置を制御する制御手段を有することを特徴とする請求項２乃至５の何れか１項に記載の通信装置。
【請求項７】
前記外部装置から送信されるプッシュメッセージを受信する受信手段と、
前記受信手段により前記外部装置から受信されるプッシュメッセージの転送の要求を、前記他の通信装置から受け付ける受付手段を有し、
前記通信手段は、前記受付手段により前記転送の要求を受け付けられた場合、前記共有手段により共有された前記時間情報が示す処理期間中に、当該処理期間より前に前記受信手段により受信されたプッシュメッセージを前記他の通信装置へ送信することを特徴とする請求項１に記載の通信装置。
【請求項８】
前記受信手段により前記外部装置から受信したプッシュメッセージの形式を、前記通信装置と前記他の通信装置との間の通信に応じた形式に変換する変換手段を有し、
前記通信手段は、前記変換手段により変換されたプッシュメッセージを前記他の通信装置へ送信することを特徴とする請求項７に記載の通信装置。
【請求項９】
前記他の通信装置と前記通信装置との間の接続、および、前記通信装置と前記外部装置との間の接続の、少なくとも何れかを維持するための通信を行う接続維持手段を有することを特徴とする請求項７又は８に記載の通信装置。
【請求項１０】
前記受付手段による前記転送の要求の受付に応じて、前記通信装置から前記他の通信装置へのプッシュメッセージの転送の可否を示すメッセージを送信する送信手段を有することを特徴とする請求項７乃至９の何れか１項に記載の通信装置。
【請求項１１】
前記共有手段により共有された前記時間情報が示す処理期間外に所定のメッセージを受信したことに応じて、前記他の通信装置が前記通信装置との間でプッシュメッセージを通信可能な状態となるように前記他の通信装置に通知を行う通知手段を有することを特徴とする請求項７乃至１０の何れか１項に記載の通信装置。
【請求項１２】
前記通信手段は、前記共有手段により共有された前記時間情報が示す処理期間中に、当該処理期間より前に前記受信手段により受信された複数のプッシュメッセージのうち優先度及びデータ量の少なくとも何れかに基づいて選択されたプッシュメッセージを前記他の通信装置へ送信することを特徴とする請求項７乃至１１の何れか１項に記載の通信装置。
【請求項１３】
前記通信手段は、前記共有手段により共有された前記時間情報が示す処理期間中に、当該処理期間より前に前記外部装置から送信された複数のプッシュメッセージが結合された結合メッセージを前記他の通信装置との間で通信することを特徴とする請求項１乃至１２の何れか１項に記載の通信装置。
【請求項１４】
前記他の通信装置と時刻同期を行うためのタイマ情報を取得するタイマ情報取得手段と、
前記共有手段により共有された前記時間情報と、前記タイマ情報取得手段により取得された前記タイマ情報とに基づいて、プッシュメッセージの通信が可能な前記処理期間を前記他の通信装置と同期させるための制御を実行する同期制御手段とを有することを特徴とする請求項１乃至１３の何れか１項に記載の通信装置。
【請求項１５】
プッシュメッセ―ジの通信が可能な前記処理期間は、所定の間隔ごとに存在する期間であり、
前記処理期間における前記通信装置の消費電力は、前記処理期間外における前記通信装置の消費電力よりも大きいことを特徴とする請求項１乃至１４の何れか１項に記載の通信装置。
【請求項１６】
前記通信手段はさらに、前記共有手段により共有された前記時間情報が示す処理期間中に前記外部装置から送信されたプッシュメッセージを、前記他の通信装置との間で通信することを特徴とする請求項１乃至１５の何れか１項に記載の通信装置。
【請求項１７】
外部装置から送信されるプッシュメッセージを第１通信装置と第２通信装置との間で通信する通信方法であって、
前記第１通信装置と前記第２通信装置との間で、プッシュメッセージの通信が可能な処理期間を示す時間情報を共有する共有工程と、
前記共有工程において共有された前記時間情報が示す処理期間中に、当該処理期間より前に前記外部装置から送信されたプッシュメッセージを前記第１通信装置と前記第２通信装置との間で通信する通信工程と有することを特徴とする通信方法。
【請求項１８】
前記外部装置から送信されるプッシュメッセージを前記第１通信装置が受信する受信工程と、
前記外部装置から前記第１通信装置へ送信されるプッシュメッセージの前記第２通信装置への転送を、前記第２通信装置が要求する要求工程を有し、
前記通信工程においては、前記共有工程において共有された前記時間情報が示す処理期間中に、当該処理期間より前に前記受信工程において受信されたプッシュメッセージが前記第１通信装置から前記第２通信装置へ転送されることを特徴とする請求項１７に記載の通信方法。
【請求項１９】
前記通信工程においては、前記共有工程により共有された前記時間情報が示す処理期間中に、当該処理期間より前に前記外部装置から送信された複数のプッシュメッセージが結合された結合メッセージが前記第１通信装置と前記第２通信装置との間で通信されることを特徴とする請求項１７又は１８に記載の通信方法。
【請求項２０】
コンピュータを、請求項１乃至１６の何れか１項に記載の通信装置の各手段として機能させるためのプログラム。
【手続補正２】
【補正対象書類名】明細書
【補正対象項目名】０００６
【補正方法】変更
【補正の内容】
【０００６】
上記の目的を達成するために、本発明の一態様による通信装置は以下の構成を備える。即ち、
外部装置から送信されるプッシュメッセージを他の通信装置との間で通信する通信装置であって、
前記通信装置と前記他の通信装置との間でのプッシュメッセージの通信が可能な処理期間を示す時間情報を、前記他の通信装置と共有する共有手段と、
前記共有手段により共有された前記時間情報が示す処理期間中に、当該処理期間より前に前記外部装置から送信されたプッシュメッセージを前記他の通信装置との間で通信する通信手段とを有することを特徴とする。
【手続補正３】
【補正対象書類名】明細書
【補正対象項目名】発明の名称
【補正方法】変更
【補正の内容】
【発明の名称】通信装置、通信方法及びプログラム